(57)【要約】  撮影システムは、撮影モジュールとＰＬＣ撮影アダプターモジュールから構成され、オーディオ／ビデオ情報を撮影し、また、撮影されたオーディオ／ビデオ情報を変調して送信したり、電力線から伝送された変調信号を復調して制御信号を取得し、前記制御信号を利用して撮影パラメータを調整する撮影装置と、電力線を介してＰＬＣ撮影アダプターモジュールと接続され、受信されたオーディオ／ビデオ情報の変調信号を復調して送信したり、受信された制御指示情報により制御信号を生成して変調し、それを利用して撮影モジュールを制御したりする制御装置と、オーディオ／ビデオ情報と撮影装置の情報及び撮影装置の制御権限情報を保存・提供したり、制御指示情報を生成・送信したりするアプリケーションサーバとを具備する。本発明はまた撮影制御の方法を提供している。専用の信号線を除去し、撮影装置に対する遠隔制御を実現する。
2009539280.tif 000002
【特許請求の範囲】
【請求項１】
撮影モジュールと、
前記撮影モジュールに接続され、前記撮影モジュールで撮影されたオーディオ／ビデオ情報を受信して変調し、電力線に載せて送信したり、電力線で伝送されている制御信号の変調信号を復調し制御信号を取得して、前記制御信号を利用して前記撮影モジュールを制御したりする電力線通信撮影アダプターモジュールと、
を備えたことを特徴とする撮影装置。
【請求項２】
前記電力線通信撮影アダプターモジュールは、
前記撮影モジュールに接続され、オーディオ／ビデオ情報をデジタルマルチメディア信号に変換する撮影信号処理ユニットと、
前記撮影信号処理ユニットに接続され、デジタルマルチメディア信号を圧縮するデジタルマルチメディア情報圧縮処理ユニットと、
前記デジタルマルチメディア情報圧縮処理ユニットと前記撮影モジュールに接続され、デジタルマルチメディア圧縮信号をイーサーネット（登録商標）信号に変換して送信したり、受信された制御信号を撮影モジュールに送信したりするイーサーネット（登録商標）アダプターユニットと、
前記イーサーネット（登録商標）アダプターユニットに接続され、前記イーサーネット（登録商標）アダプターユニットから送信されたイーサーネット（登録商標）信号を変調して電力搬送波に載せて伝送したり、受信された制御信号の変調信号を復調してイーサーネット（登録商標）信号に変換して前記イーサーネット（登録商標）アダプターユニットに送信したりする第１電力線通信変復調ユニットと、
を含むことを特徴とする請求項１記載の撮影装置。
【請求項３】
前記撮影信号処理ユニットと前記イーサーネット（登録商標）アダプターユニットに、更に１つの録音モジュールが接続されることを特徴とする請求項２記載の撮影装置。
【請求項４】
前記撮影モジュールと前記電力線通信撮影アダプターモジュールとも、ＵＳＢインターフェースが搭載されたものであることを特徴とする請求項１記載の撮影装置。
【請求項５】
前記ＵＳＢインターフェース搭載の電力線通信撮影アダプターモジュールは、
前記ＵＳＢ撮影装置に接続され、オーディオ／ビデオ情報及び制御信号を含むＵＳＢバス信号とＵＳＢ電源を複合／分離するＵＳＢバスアダプターユニットと、
前記ＵＳＢバスアダプターユニットに接続され、ＵＳＢバス信号とイーサーネット（登録商標）信号を相互交換する第１ＵＳＢ信号イーサーネット（登録商標）アダプターユニットと、
前記ＵＳＢバスアダプターユニットに接続され、ＵＳＢ電源と交流電源を相互変換するＵＳＢ電源アダプターユニットと、
前記第１ＵＳＢ信号イーサーネット（登録商標）アダプターユニットと前記ＵＳＢ電源アダプターユニットに接続され、前記第１ＵＳＢ信号イーサーネット（登録商標）アダプターユニットから送信されたイーサーネット（登録商標）信号を変調してから、電力搬送波に載せて伝送したり、受信された制御信号の変調信号を復調し、イーサーネット（登録商標）信号に変換してから前記第１ＵＳＢ信号イーサーネット（登録商標）アダプターユニットに送信したりする第１電力線通信変復調ユニットと、
を含むことを特徴とする請求項４記載の撮影装置。
【請求項６】
前記ＵＳＢバスアダプターユニットに更に１つの録音モジュールが接続されることを特徴とする請求項４記載の撮影装置。
【請求項７】
オーディオ／ビデオ情報を撮影する撮影モジュールと、前記撮影モジュールで撮影されたオーディオ／ビデオ情報を受信して変調して、電力線に載せて送信したり、電力線で伝送されている制御信号の変調信号を復調し制御信号を取得して、前記制御信号を利用して前記撮影モジュールを制御したりする電力線通信撮影アダプターモジュールとを含む撮影装置と、
電力線を介して前記電力線通信撮影アダプターモジュールに接続され、受信されたオーディオ／ビデオ情報の変調信号を復調し、復調されたオーディオ／ビデオ情報を送信すると共に、受信された制御指示情報により制御信号を生成し変調して、また、電力線を介して前記制御信号の変調信号を前記電力線通信撮影アダプターモジュールに送信し、前記撮影モジュールを制御する制御装置と、
前記制御装置に接続され、前記オーディオ／ビデオ情報と前記撮影装置の情報及び撮影装置の制御権限情報を保存・提供したり、前記制御装置に制御指示情報を送信したりするアプリケーションサーバと、
を備えたことを特徴とする撮影システム。
【請求項８】
前記電力線通信撮影アダプターモジュールは、
前記撮影モジュールに接続され、オーディオ／ビデオ情報をデジタルマルチメディア信号に変換する撮影信号処理ユニットと、
前記撮影信号処理ユニットに接続され、デジタルマルチメディア信号を圧縮するデジタルマルチメディア情報圧縮処理ユニットと、
前記デジタルマルチメディア情報圧縮処理ユニットと前記撮影モジュールに接続され、デジタルマルチメディア圧縮信号をイーサーネット（登録商標）信号に変換して送信したり、受信された制御信号を撮影モジュールに送信したりするイーサーネット（登録商標）アダプターユニットと、
前記イーサーネット（登録商標）アダプターユニットに接続され、前記イーサーネット（登録商標）アダプターユニットから送信されたイーサーネット（登録商標）信号を変調して電力搬送波に載せて伝送したり、受信された制御信号の変調信号を復調してイーサーネット（登録商標）信号に変換してから前記イーサーネット（登録商標）アダプターユニットに送信したりする第１電力線通信変復調ユニットと、
を含むことを特徴とする請求項７記載の撮影システム。
【請求項９】
前記撮影信号処理ユニットと前記イーサーネット（登録商標）アダプターユニットに、１つの録音モジュールが接続される前記撮影装置を有することを特徴とする請求項８記載の撮影システム。
【請求項１０】
前記制御装置は更に、
前記アプリケーションサーバに接続され、オーディオ／ビデオ情報を送受信したり、アプリケーションサーバから送信された制御指示情報により制御信号を生成して送信したりするメイン処理ユニットと、
前記メイン処理ユニットに接続され、受信されたイーサーネット（登録商標）信号をデジタルオーディオ／ビデオ情報に変換して前記メイン処理ユニットに送信したり、前記メイン処理ユニットから送信された制御信号をイーサーネット（登録商標）信号に変換して送信したりするイーサーネット（登録商標）信号処理ユニットと、
前記イーサーネット（登録商標）信号処理ユニットに接続され、イーサーネット（登録商標）信号に含まれた制御信号を変調して電力搬送波に載せて伝送したり、受信されたオーディオ／ビデオ情報の変調信号を復調し、復調された現場信号をイーサーネット（登録商標）信号に変換し、前記イーサーネット（登録商標）信号処理ユニットに送信したりする第２電力線通信変復調ユニットと、
を含むことを特徴とする請求項９記載の撮影システム。
【請求項１１】
前記アプリケーションサーバは、更に、
前記撮影装置で撮影されたオーディオ／ビデオ情報を保存する情報データベースと、
前記情報データベースと前記メイン処理ユニットに接続され、メイン処理ユニットから送信されたオーディオ／ビデオ情報を前記情報データベースに保存したり、前記オーディオ／ビデオ情報をリリースして、受信されたリクエスト情報により、制御指示情報を生成して制御装置に送信したりする情報処理モジュールと、
を含むことを特徴とする請求項７〜１０のいずれか一項に記載の撮影システム。
【請求項１２】
前記撮影モジュールと前記電力線通信撮影アダプターモジュールは、ＵＳＢインターフェースが搭載されたものであることを特徴とする請求項７記載の撮影システム。
【請求項１３】
前記ＵＳＢ搭載の電力線通信撮影アダプターモジュールは更に、
前記ＵＳＢ撮影装置に接続され、オーディオ／ビデオ情報及び制御信号を含む前記ＵＳＢバス信号とＵＳＢ電源を複合／分離するＵＳＢバスアダプターユニットと、
前記ＵＳＢバスアダプターユニットに接続され、ＵＳＢバス信号とイーサーネット（登録商標）信号を相互交換する第１ＵＳＢ信号イーサーネット（登録商標）アダプターユニットと、
前記ＵＳＢバスアダプターユニットに接続され、ＵＳＢ電源と交流電源を相互変換するＵＳＢ電源アダプターユニットと、
前記第１ＵＳＢ信号イーサーネット（登録商標）アダプターユニットと前記ＵＳＢ電源アダプターユニットに接続され、前記第１ＵＳＢ信号イーサーネット（登録商標）アダプターユニットから送信されたイーサーネット（登録商標）信号を変調し、電力搬送波に載せて伝送したり、受信された制御信号の変調信号を復調し、イーサーネット（登録商標）信号に変換してから前記第１  ＵＳＢ信号イーサーネット（登録商標）アダプターユニットに送信したりする第１電力線通信変復調ユニットと、
を含むことを特徴とする請求項１２記載の撮影システム。
【請求項１４】
前記ＵＳＢバスアダプターユニットに、更に１つの録音モジュールが接続されることを特徴とする請求項１３記載の撮影システム。
【請求項１５】
前記制御装置は、
前記アプリケーションサーバに接続され、オーディオ／ビデオ情報を送受信したり、アプリケーションサーバから送信された制御指示情報により制御信号を生成して送信したりするメイン処理ユニットと、
前記メイン処理ユニットに接続され、ＵＳＢバス信号とイーサーネット（登録商標）信号を相互交換する第２ＵＳＢ信号イーサーネット（登録商標）アダプターユニットと、
前記第２ＵＳＢ信号イーサーネット（登録商標）アダプターユニットに接続され、ＵＳＢバス信号に含まれた制御信号を変調して電力搬送波に載せて伝送したり、受信されたオーディオ／ビデオ情報の変調信号を復調し、復調された現場信号をイーサーネット（登録商標）信号に変換し、前記第２ＵＳＢ信号イーサーネット（登録商標）アダプターユニットに送信したりする第２電力線通信変復調ユニットと、
を含むことを特徴とする請求項１４記載の撮影システム。
【請求項１６】
前記アプリケーションサーバは、
前記撮影装置で撮影されたオーディオ／ビデオ情報と、前記撮影装置の情報及び当該撮影装置の制御権限情報を保存する情報データベースと、
前記情報データベースと前記メイン処理ユニットに接続され、メイン処理ユニットから送信されたオーディオ／ビデオ情報を前記情報データベースに保存してリリースしたり、受信されたリクエスト情報により、制御指示情報を生成して制御装置に送信したりする情報処理モジュールと、
を含むことを特徴とする請求項７と請求項１２〜１５の何れか一項に記載の撮影システム。
【請求項１７】
移動端末が、撮影装置の標識情報及び前記移動端末の番号情報を、前記撮影装置の撮影パラメータを調整するリクエスト情報に含めて、アプリケーションサーバに送信する手順１と、
アプリケーションサーバが、前記リクエスト情報により制御指示情報を生成し、当該制御指示情報及び前記標識情報を制御装置に送信する手順２と、
制御装置が、制御指示情報により制御信号を生成して変調し、変調された制御信号の変調信号を電力線を介して前記標識情報に標識された前記撮影装置に送信し、当該撮影装置の撮影パラメータを調整する手順３と、
を有することを特徴とする撮影制御方法。
【請求項１８】
アプリケーションサーバが、前記移動端末から送信された、前記撮影パラメータを取得するためのリクエスト情報を受信後に、前記撮影パラメータと前記撮影パラメータを変更するリンクアドレスを前記移動端末に送信する操作は、前記手順１の前に実行されることを特徴とする請求項１７記載の撮影制御方法。
【請求項１９】
前記移動端末が、前記リンクアドレスにより、アプリケーションサーバに撮影装置の撮影パラメータを調整するリクエスト情報を送信する前記手順１を有することを特徴とする請求項１８記載の撮影制御方法。
【請求項２０】
前記リクエスト情報を送信する時に、前記移動端末はアプリケーションサーバにおける情報処理モジュールに対して、撮影装置の撮影パラメータを調整するリクエスト情報を送信する前記手順１を有することを特徴とする請求項１７記載の撮影制御方法。
【請求項２１】
前記移動端末がＳＩＰプロトコルを利用してアプリケーションサーバにおける情報処理モジュールに、撮影装置の撮影パラメータを調整するリクエスト情報を送信する前記手順１を有することを特徴とする請求項２０記載の撮影制御方法。
【請求項２２】
前記情報処理モジュールが前記リクエスト情報により制御指示情報を生成して、当該制御指示情報を前記標識情報と共に制御装置に送信する前記手順２を有することを特徴とする請求項１７記載の撮影制御方法。
【請求項２３】
前記情報処理モジュールが制御指示情報と前記標識情報とを制御装置におけるメイン処理ユニットに送信する前記手順２を有することを特徴とする請求項２２記載の撮影制御方法。
【請求項２４】
前記手順３は、更に、
メイン処理ユニットが、前記制御指示情報により制御信号を生成し、イーサーネット（登録商標）信号処理ユニットに送信する手順３１１と、
イーサーネット（登録商標）信号処理ユニットが、前記制御信号をイーサーネット（登録商標）信号に変換して第２電力線通信変復調ユニットに送信する手順３１２と、
第２電力線通信変復調ユニットがイーサーネット（登録商標）信号に含まれた制御信号を変調して電力搬送波に載せたり、生成された制御信号の変調信号を利用して前記撮影装置の撮影パラメータを調整したりする手順３１３と、
を有することを特徴とする請求項２３記載の撮影制御方法。
【請求項２５】
前記手順３４は更に、
第２電力線通信変復調ユニットが制御信号の変調信号を第１電力線通信変復調ユニットに送信する手順３４１１と、
第１電力線通信変復調ユニットが受信された制御信号の変調信号を復調して制御信号を取得し、また、イーサーネット（登録商標）信号に変換してからイーサーネット（登録商標）アダプターユニットに送信する手順３４１２と、
イーサーネット（登録商標）アダプターユニットはイーサーネット（登録商標）信号から制御信号を取得し、取得された制御信号を利用して撮影モジュールの撮影パラメータを調整する手順３４１３と、
を有することを特徴とする請求項２４記載の撮影制御方法。
【請求項２６】
前記手順３は、更に、
メイン処理ユニットが前記制御指示情報により制御信号を生成し、ＵＳＢバス信号に載せて第２ＵＳＢ信号イーサーネット（登録商標）アダプターユニットに送信する手順３２１と、
第２ＵＳＢ信号イーサーネット（登録商標）アダプターユニットがＵＳＢバス信号をイーサーネット（登録商標）信号に変換して第２電力線通信変復調ユニットに送信する手順３２２と、
第２電力線通信変復調ユニットがイーサーネット（登録商標）信号に含まれた制御信号を変調して電力搬送波に載せて、生成された制御信号の変調信号を利用して、前記撮影装置の撮影パラメータを調整する手順３２３と、
を有することを特徴とする請求項２３記載の撮影制御方法。
【請求項２７】
前記手順３４は、更に、
第２電力線通信変復調ユニットが制御信号の変調信号を第１電力線通信変復調ユニットに送信する手順３４２１と、
第１電力線通信変復調ユニットが受信された制御信号の変調信号を復調して制御信号を取得し、また、取得された制御信号をイーサーネット（登録商標）信号に変換して第１ＵＳＢ信号イーサーネット（登録商標）アダプターユニットに送信する手順３４２２と、
第１ＵＳＢ信号イーサーネット（登録商標）アダプターユニットがイーサーネット（登録商標）信号をＵＳＢバス信号に変換してＵＳＢバスアダプターユニットに送信する手順３４１３と、
ＵＳＢバスアダプターユニットがＵＳＢバス信号から制御信号を取得して、また前記制御信号を利用して撮影モジュールの撮影パラメータを調整する手順３４１４と、
を有することを特徴とする請求項２６記載の撮影制御方法。
【請求項２８】
前記移動端末の番号情報により、当該移動端末が前記撮影装置に対して制御権限を持っているかどうかを判断し、持つ場合は、手順２を実行し、持たない場合は操作を終了する、という手順１１が、更に前記手順１と前記手順２の間に実行されることを特徴とする請求項１７記載の撮影制御方法。
【請求項２９】
前記情報処理モジュールは、撮影装置の撮影パラメータを調整するリクエスト情報を受信後に、撮影装置の標識情報により前記情報データベースから、前記撮影装置の制御権限情報に、前記移動端末の番号情報が含まれているかどうかを確認し、含まれた場合は手順２を実行し、含まれていない場合は、操作を終了するという前記手順１１を有することを特徴とする請求項２８記載の撮影制御方法。
【請求項３０】
更にアプリケーションサーバの中から、オーディオ／ビデオ情報を取得する操作を含むことを特徴とする請求項１７〜２９の何れか一項に記載の撮影制御方法。
【請求項３１】
アプリケーションサーバの中から、オーディオ／ビデオ情報を取得する時、移動端末は、情報処理モジュールに、前記撮影装置で撮影されたオーディオ／ビデオ情報を取得するリクエスト情報を送信し、前記情報処理モジュールは撮影装置の標識情報により前記情報データベースから、前記撮影装置の制御権限情報に前記移動端末の番号情報が含まれているかどうかを確認し、含まれている場合は、前記情報データベースから、撮影装置の標識情報に対応するオーディオ／ビデオ情報を取得して前記移動端末に送信するが、含まれていない場合は操作を終了する、という操作が実行されることを特徴とする請求項３０記載の撮影制御方法。
【請求項３２】
移動端末はＳＩＰプロトコルを採用し、情報処理モジュールに対して、前記撮影装置で撮影されたオーディオ／ビデオ情報を取得するリクエスト情報を送信することを特徴とする請求項３１記載の撮影制御方法。
【請求項３３】
情報処理モジュールはＳＩＰプロトコルを採用して移動端末にオーディオ／ビデオ情報を送信することを特徴とする請求項３２記載の撮影制御方法。
【発明の詳細な説明】
【技術分野】
【０００１】
本発明は専用信号線を除去し、移動端末により遠隔制御できる撮影装置と、当該撮影装置から構成される撮影システムと、当該撮影装置を遠隔制御する撮影制御方法に関する。
【背景技術】
【０００２】
デジタル製品が普及すると共に、ビデオ／オーディオ情報、或いはビデオとオーディオの混合情報を記録する撮影装置は、情報記録装置として、家庭と組織の第一の選択肢となってきた。現存の撮影システムは、通常、現場に設置されている撮影装置と、当該撮影装置を制御する制御装置から構成される。その２者を接続する方式は、通常、２種類に分けられる。１つは、電力線と専用信号線（例えば、ビデオケーブル）を介して接続する方式であり、もう１つは給電機能を持つ専用信号線（例えば、ＵＳＢケーブル）を介して接続する方式である。使用者は制御装置により、撮影装置の撮影パラメータ（例えば、撮影角度、焦点距離、感度、撮影データのメディアタイプ等）を制御する。
【発明の開示】
【発明が解決しようとする課題】
【０００３】
しかし、現存の撮影システム及び制御方法に、次の欠陥が存在している。
【０００４】
１．撮影装置と制御装置の間は、専用信号線を介して接続しなければならない。撮影装置と制御装置は一定の距離が離れた場合、（例えば、同じ部屋に設置されていなく、専用信号線の装着は無理になった場合、）使用者の自由度が制限されてしまう。
【０００５】
２．現存の撮影システムにおける撮影装置と制御装置は、専用信号線により接続されるため、２者の設置距離は信号線の長さにより制限される。撮影角度、焦点距離、感度、撮影データの保存メディアタイプ等のパラメータを調整したい場合、使用者は現場に来て制御装置を操作しなければならない。撮影装置への遠隔制御が実現されていないため、利便性に欠ける欠点がある。
【０００６】
本発明はこのような状況に鑑みてなされたものであり、撮影装置と制御装置を接続する専用信号線を除去し、撮影装置に対する遠隔制御を可能にする撮影装置と、前記撮影装置から構成される撮影システム、及び前記撮影システムを利用して前記撮影装置を制御する撮影制御方法を提供することにあり、使用者の利便性を向上した。
【課題を解決するための手段】
【０００７】
本発明にかかる撮影装置は、オーディオ／ビデオ情報を撮影する撮影モジュールと、撮影モジュールに接続され、撮影モジュールで撮影されたオーディオ／ビデオ情報を受信し変調して、電力線に載せて送信したり、電力線を介して伝送されている制御信号の変調信号を復調し、取得された制御信号を利用して前記撮影モジュールを制御したりする電力線通信（Ｐｏｗｅｒ  Ｌｉｎｅ  Ｃｏｍｍｕｎｉｃａｔｉｏｎ，ＰＬＣ）撮影アダプターモジュールとを具備する。
【０００８】
前記ＰＬＣ撮影アダプターモジュールは、前記撮影モジュールに接続され、オーディオ／ビデオ情報をデジタルマルチメディア信号に変換する撮影信号処理ユニットと、前記撮影信号処理ユニットに接続され、デジタルマルチメディア信号を圧縮するデジタルマルチメディア情報圧縮処理ユニットと、前記デジタルマルチメディア情報圧縮処理ユニットと前記撮影モジュールに接続され、デジタルマルチメディア圧縮信号をイーサーネット（登録商標）信号に変換して送信したり、受信された制御信号を撮影モジュールに送信したりするイーサーネット（登録商標）アダプターユニットと、前記イーサーネット（登録商標）アダプターユニットに接続され、前記イーサーネット（登録商標）アダプターユニットから送信されたイーサーネット（登録商標）信号を変調して電力搬送波に載せて送信したり、受信された制御信号の変調信号を復調し、イーサーネット（登録商標）信号に変換し、前記イーサーネット（登録商標）アダプターユニットに送信したりする第１電力線通信変復調ユニットとを備える。
【０００９】
本発明にかかる撮影システムは、オーディオ／ビデオ情報を撮影する撮影モジュールと、前記撮影モジュールにより撮影されたオーディオ／ビデオ情報を受信して変調してから、電力線に載せて送信したり、電力線で伝送されている制御信号の変調信号を復調して分離し、取得された制御信号により前記撮影モジュールを制御したりする電力線通信撮影アダプターモジュールとを有する撮影装置と、電力線を介して前記電力線通信撮影アダプターモジュールに接続され、受信されたオーディオ／ビデオ情報の変調信号を復調し、取得されたオーディオ／ビデオ情報を送信したり、受信された制御指示情報により制御信号を生成し、また前記制御信号を変調して電力線を介して前記電力線通信撮影アダプターモジュールに送信し、前記撮影モジュールを制御したりする制御装置と、前記制御装置に接続され、前記オーディオ／ビデオ情報と、前記撮影装置の情報及び前記撮影装置の制御権限情報を保存・提供したり、及び前記制御装置に制御指示情報を送信するアプリケーションサーバとを具備する。
【００１０】
前記撮影システムにおける前記制御装置は、更に、前記アプリケーションサーバに接続され、オーディオ／ビデオ情報を送受信し、アプリケーションサーバから送信された制御指示情報により制御信号を発生して送信するメイン処理ユニットと、前記メイン処理ユニットに接続され、受信されたイーサーネット（登録商標）信号をデジタルオーディオ／ビデオ情報に変換して前記メイン処理ユニットに送信したり、前記メイン処理ユニットから送信された制御信号をイーサーネット（登録商標）信号に変換して送信したりするイーサーネット（登録商標）信号処理ユニットと、前記イーサーネット（登録商標）信号処理ユニットに接続され、イーサーネット（登録商標）信号に含まれた制御信号を変調して電力搬送波に載せて送信したり、受信されたオーディオ／ビデオ情報の変調信号を復調し、復調された現場信号をイーサーネット（登録商標）信号に変換して前記イーサーネット（登録商標）信号処理ユニットに送信したりする第２電力線通信変復調ユニットと
を有する。
【００１１】
前記撮影装置に設けられた前記撮影モジュール及び前記電力線通信撮影アダプターモジュールは、ＵＳＢインターフェースが搭載されたものである場合、前記ＵＳＢインターフェース搭載の電力線通信撮影アダプターモジュールは、前記ＵＳＢ撮影装置に接続され、オーディオ／ビデオ情報と制御信号を含む前記ＵＳＢバス信号とＵＳＢ電源を複合・分離するＵＳＢバスアダプターユニットと、前記ＵＳＢバスアダプターユニットに接続され、ＵＳＢバス信号とイーサーネット（登録商標）信号を相互変換する第１  ＵＳＢ信号イーサーネット（登録商標）アダプターユニットと、前記ＵＳＢバスアダプターユニットに接続され、ＵＳＢ電源と交流電源を相互変換するＵＳＢ電源アダプターユニットと前記第１ＵＳＢ信号イーサーネット（登録商標）アダプターユニットと前記ＵＳＢ電源アダプターユニットに接続され、前記第１ＵＳＢ信号イーサーネット（登録商標）アダプターユニットから送信されたイーサーネット（登録商標）信号を変調し、電力搬送波に載せて伝送したり、受信された制御信号の変調信号を復調してイーサーネット（登録商標）信号に変換して前記第１ＵＳＢ信号イーサーネット（登録商標）アダプターユニットに送信したりする第１電力線通信変復調ユニットとを有する。
【００１２】
前記撮影装置に設けられた前記撮影モジュール及び前記電力線通信撮影アダプターモジュールはＵＳＢインターフェースが搭載されたものである場合、前記制御装置は、前記アプリケーションサーバに接続され、オーディオ／ビデオ情報を送受信し、アプリケーションサーバから送信された制御指示情報により制御信号を生成して送信するメイン処理ユニットと、前記メイン処理ユニットに接続され、ＵＳＢバス信号とイーサーネット（登録商標）信号を相互交換する第２ＵＳＢ信号イーサーネット（登録商標）アダプターユニットと、前記第２ＵＳＢ信号イーサーネット（登録商標）アダプターユニットに接続され、ＵＳＢバス信号に含まれた制御信号を変調し、電力搬送波に載せて伝送したり、受信されたオーディオ／ビデオ情報の変調信号を復調し、復調された現場信号をイーサーネット（登録商標）信号に変換し、前記第２ＵＳＢ信号イーサーネット（登録商標）アダプターユニットに送信したりする第２  電力線通信変復調ユニットとを有する。
【００１３】
前記アプリケーションサーバは、前記撮影装置で撮影されたオーディオ／ビデオ情報と、前記撮影装置の情報及び前記撮影装置の制御権限情報を保存する情報データベースと、前記情報データベースと前記メイン処理ユニットに接続され、メイン処理ユニットから送信されたオーディオ／ビデオ情報を前記情報データベースに保存してリリースしたり、受信されたリクエスト情報により、制御指示情報を生成して制御装置に送信したりする情報処理モジュールとを有する。
【００１４】
本発明にかかる撮影制御方法は、移動端末が、撮影装置の標識情報及び前記移動端末の番号情報を、撮影装置の撮影パラメータを調整するリクエスト情報に含めて、アプリケーションサーバに送信する手順１と、アプリケーションサーバが、前記リクエスト情報により制御指示情報を生成し、前記制御指示情報及び前記標識情報を制御装置に送信する手順２と、制御装置が、制御指示情報により制御信号を生成して変調し、変調された制御信号を電力線を介して前記標識情報に標識された前記撮影装置に送信し、当該撮影装置の撮影パラメータを調整する手順３とを有することを特徴とする。
【００１５】
前記の技術案によると、本発明は以下のメリットを有する。
【００１６】
１．前記撮影装置における第１ＰＬＣ変復調ユニットは、撮影カメラで撮影されたオーディオ／ビデオ情報を変調して、電力線に載せて制御装置に送信できる。前記制御装置における第２ＰＬＣ変復調ユニットは、制御信号を変調して電力線に載せて撮影装置に送信できる。こうした構成を特徴とする本発明の撮影装置と撮影システムにおいて、撮影装置と制御装置を接続する専用信号線を省略でき、信号線の装着作業も不要となる。また、家庭や組織に広く普及している電力線とコンセントを利用することにより、撮影装置と制御装置を柔軟に設置できるようになり、使用上の利便性が図られる。
【００１７】
２．通信技術の進化に伴い、移動端末が広く普及している。本発明によれば、移動通信技術と撮影技術を結合し、撮影装置の移動端末による遠隔制御と遠隔操作を実現できる。例えば、移動端末を利用して撮影装置の撮影パラメータを調整・制御することができ、使用者の利便性を向上させる。
【発明を実施するための最良の形態】
【００１８】
次は図面と実施形態を参照しながら、本発明の技術案を詳細に説明する。
【００１９】
図１は本発明にかかる撮影装置の第１の実施形態の構成を示すブロック図である。この実施例における撮影装置は、オーディオ、ビデオおよび画像等を撮影する撮影モジュール１１と、撮影モジュール１１で撮影されたオーディオ／ビデオ情報を受信し変調してから、電力線に載せて当該撮影装置を制御する制御装置に送信したり、制御装置から電力線を介して送信された制御信号の変調信号を復調し、取得された制御信号により撮影モジュール１１の撮影パラメータ（例えば、撮影角度、焦点距離、感度、及び保存するメディアタイプ（メディアタイプはビデオ・画像・オーディオ或いはオーディオとビデオの組み合わせを含む））を制御したりするＰＬＣ撮影アダプターモジュール１２とを含む。
【００２０】
図２は、本発明にかかる撮影装置の第２の実施形態の構成を示すブロック図である。この実施形態における撮影装置のＰＬＣ撮影アダプターモジュール１２は、順番に接続された撮影信号処理ユニット１２１と、デジタルマルチメディア情報圧縮処理ユニット１２２と、イーサーネット（登録商標）アダプターユニット１２３と、第１ＰＬＣ変復調ユニット１２４とから構成される。撮影信号処理ユニット１２１は、撮影モジュール１１と接続され、撮影モジュール１１で撮影されたオーディオ／ビデオ情報をデジタルマルチメディア信号に変換し、デジタルマルチメディア情報圧縮処理ユニット１２２に送信する。デジタルマルチメディア情報圧縮処理ユニット１２２は、デジタルマルチメディア信号を圧縮してからイーサーネット（登録商標）アダプターユニット１２３に送信する。イーサーネット（登録商標）アダプターユニット１２３は、また、撮影モジュール１１にも接続されていて、圧縮されて形成されたデジタルマルチメディア圧縮信号をイーサーネット（登録商標）信号に変換して第１ＰＬＣ変復調ユニット１２４に送信したり、第１ＰＬＣ変復調ユニット１２４から送信された制御信号を撮影モジュール１１に送信し、撮影モジュール１１の撮影パラメータを調整したりする。第１ＰＬＣ変復調ユニット１２４は、受信されたイーサーネット（登録商標）信号を変調して電力搬送波に載せ、電力線を介して当該撮影装置を制御する制御装置に送信したり、制御装置から電力線を介して送信された制御信号の変調信号を復調し、取得された制御信号をイーサーネット（登録商標）信号に変換してイーサーネット（登録商標）アダプターユニット１２３に送信したりする。
【００２１】
この実施形態における撮影装置は、撮影カメラで撮影された現場信号を電力線に載せて制御装置に送信できるＰＬＣ変復調ユニットを含むため、制御装置を接続する専用信号線が不要となり、信号線の装着作業も省略できる。また、家庭や組織に最も普及している電力線とコンセントを利用するため、撮影装置と制御装置の設置が更に柔軟になり、使用者の利便性を向上できる。
【００２２】
図３は、本発明にかかる撮影装置の第３の実施形態の構成を示すブロック図である。この実施例における撮影装置は、撮影装置の第２の実施形態の元に、録音モジュール１３を含めるようにしたものである。録音モジュール１３は、ＰＬＣ撮影アダプターモジュール１２に含まれる撮影信号処理ユニット１２１とイーサーネット（登録商標）アダプターユニット１２３に接続され、現場のオーディオ情報を録音して撮影信号処理ユニット１２１に送信する。
【００２３】
図４は、本発明にかかる撮影装置の第４の実施形態の構成を示すブロック図である。この実施形態における撮影装置は、ＵＳＢインターフェース搭載の撮影モジュール１１０とＰＬＣ撮影アダプターモジュール１２０を含む。ＵＳＢインターフェースを搭載していない撮影モジュール１１とＰＬＣ撮影アダプターモジュール１２を区別するため、ＵＳＢインターフェースを搭載した撮影モジュールとＰＬＣ撮影アダプターモジュールは、それぞれＵＳＢ撮影モジュール１１０とＵＳＢバスＰＬＣ撮影アダプターモジュール１２０と称する。
【００２４】
図５は、本発明にかかる撮影装置の第５の実施形態の構成を示すブロック図である。この実施形態における撮影装置に設けられたＵＳＢバスＰＬＣ撮影アダプターモジュール１２０は、順番に接続されたＵＳＢバスアダプターユニット１２０１と、第１ＵＳＢ信号イーサーネット（登録商標）アダプターユニット１２０２と、第１ＰＬＣ変復調ユニット１２４とから構成される。また、ＵＳＢバスアダプターユニット１２０１と第１ＰＬＣ変復調ユニット１２４に接続されたＵＳＢ電源アダプターユニット１２０３も含んでいる。ＵＳＢバスアダプターユニット１２０１は、ＵＳＢ撮影モジュール１１０に接続され、オーディオ／ビデオ情報と制御信号を含んだＵＳＢバス信号とＵＳＢ電源と複合／分離し、ＵＳＢ撮影モジュール１１０で撮影されたオーディオ／ビデオ情報を第１ＵＳＢ信号イーサーネット（登録商標）アダプターユニット１２０２に送信したり、第１ＵＳＢ信号イーサーネット（登録商標）アダプターユニット１２０２から送信された制御信号をＵＳＢ撮影モジュール１１０に送信し、ＵＳＢ撮影モジュール１１０の撮影パラメータを調整したりする。第１ＰＬＣ変復調ユニット１２４は、受信されたイーサーネット（登録商標）信号を変調し電力搬送波に載せて、電力線を介して当該ＵＳＢ撮影装置を制御する制御装置に送信したり、制御装置から電力線を介して送信された制御信号の変調信号を復調し、取得された制御信号をイーサーネット（登録商標）信号に変換し、第１ＵＳＢ信号イーサーネット（登録商標）アダプターユニット１２０２に送信したりする。ＵＳＢ電源アダプターユニット１２０３は、ＵＳＢ電源と交流電源を相互変換することに用いられる。
【００２５】
図６は本発明にかかる撮影装置の第６の実施形態の構成を示すブロック図である。この実施形態における撮影装置は、第５の実施形態の元に、録音モジュール１３を含めるようにしたものである。録音モジュール１３は、ＵＳＢバスＰＬＣ撮影アダプターモジュール１２０におけるＵＳＢバスアダプターユニット１２０１に接続され、現場のオーディオ情報を録音してＵＳＢバスアダプターユニット１２０１に送信する。
【００２６】
図７は本発明にかかる撮影システムの第１の実施形態の構成を示すブロック図である。この実施形態における撮影システムは、順番に接続されている撮影装置１と制御装置２とアプリケーションサーバ３から構成される。撮影装置１は、図１に示した撮影モジュール１１とＰＬＣ撮影アダプターモジュール１２から構成され、オーディオ／ビデオ情報を撮影して変調してから電力線を介して制御装置２に送信したり、制御装置２から電力線を介して送信された制御信号の変調信号を復調し、取得された制御信号を利用して撮影パラメータを調整・制御したりする。制御装置２は、ＰＬＣ撮影アダプターモジュール１２から電力線を介して送信されたオーディオ／ビデオ情報の変調信号を受信し復調して、取得されたオーディオ／ビデオ情報をアプリケーションサーバ３に送信すると共に、受信された制御指示情報により制御信号を生成して変調し、変調された制御信号の変調信号を電力線を介してＰＬＣ撮影アダプターモジュール１２に送信し、撮影装置１を制御する。アプリケーションサーバ３は、撮影装置１で撮影されたオーディオ／ビデオ情報と撮影装置１の情報及び撮影装置１の制御権限情報を保存・提供し、また、移動端末からのリクエスト情報により制御装置２に制御指示情報を送信する。また、付加機能として、アプリケーションサーバ３は、制御装置２により、撮影装置１が動作状態であるかどうか、現時点の動作状態における撮影パラメータ（例えば、撮影角度、焦点距離、感度及び現在撮影可能なメディアタイプ（メディアタイプは、画像・ビデオ・オーディオ・オーディオとビデオの組み合わせを含む））等の、撮影装置１の状態情報を即時に取得して表示できる。
【００２７】
本発明の撮影システムにおける撮影装置１には、また、図２ないし図５のいずれかに示した撮影装置を採用してもよい。採用する撮影装置１に応じて、制御装置２は、撮影装置１におけるＰＬＣ撮影アダプターモジュール１２か、ＵＳＢバスＰＬＣ撮影アダプターモジュール１２０を接続するものを採用する。或いは、上記のような接続を元に、更に第１ＰＬＣ変復調ユニット１２４を接続するものを採用する。それについての説明は省略する。
【００２８】
移動通信技術と撮影技術を結合し、撮影装置１で撮影されたオーディオ／ビデオ情報を保存・提供するアプリケーションサーバ及び制御装置を導入すると、移動端末によりアプリケーションサーバに登録する方式で、撮影装置の情報及びオーディオ／ビデオ情報を取得したり、アプリケーションサーバに撮影装置の撮影パラメータを変更するリクエスト情報を送信したりすることができるようになり、撮影装置に対する遠隔制御と遠隔操作を実現し、使用者の利便性を大きく向上する。
【００２９】
図８は本発明にかかる撮影システムの第２の実施形態の構成を示すブロック図である。撮影装置１は、図１ないし図３の何れかに示した撮影装置を採用する場合、この実施形態における制御装置２は、順番に接続されたメイン処理ユニット２１とイーサーネット（登録商標）信号処理ユニット２２と第２ＰＬＣ変復調ユニット２３から構成される。その中で、メイン処理ユニット２１は、イーサーネット（登録商標）信号処理ユニット２２から送信されたオーディオ／ビデオ情報をアプリケーションサーバ３に送信したり、アプリケーションサーバ３から送信された制御指示情報により制御信号を生成してイーサーネット（登録商標）信号処理ユニット２２に送信したりする。イーサーネット（登録商標）信号処理ユニット２２はメイン処理ユニット２１から送信された制御信号をイーサーネット（登録商標）信号に変換して第２ＰＬＣ変復調ユニット２３に送信したり、第２ＰＬＣ変復調ユニット２３から送信されたイーサーネット（登録商標）信号をデジタルオーディオ／ビデオ情報に変換してメイン処理ユニット２１に送信したりする。第２ＰＬＣ変復調ユニット２３は、イーサーネット（登録商標）信号に含まれた制御信号を変調して電力搬送波に載せてから、電力線を介して撮影装置１に送信すると共に、撮影装置１から電力線を介して送信されたオーディオ／ビデオ情報の変調信号を復調し、復調されたオーディオ／ビデオ情報をイーサーネット（登録商標）信号に変換してイーサーネット（登録商標）信号処理ユニット２２に送信する。具体的に言えば、第２ＰＬＣ変復調ユニット２３は撮影装置１に含まれたＰＬＣ撮影アダプターモジュール１２またはその中の第１ＰＬＣ変復調ユニット１２４と情報交換を行う。
【００３０】
この実施形態における制御装置は、制御信号を電力線に載せて撮影装置に送信できるＰＬＣ変復調ユニットを含むため、撮影装置と制御装置を接続する専用信号線が不要となり、使用者の利便性が向上した。
【００３１】
図９は本発明にかかる撮影システムの第３の実施形態の構成を示すブロック図である。この実施形態の撮影システムにおける制御装置２は、順番に接続されたメイン処理ユニット２１と第２ＵＳＢ信号イーサーネット（登録商標）アダプターユニット２４と第２ＰＬＣ変復調ユニット２３から構成される。その中で、メイン処理ユニット２１は、第２ＵＳＢ信号イーサーネット（登録商標）アダプターユニット２４から送信されたオーディオ／ビデオ情報をアプリケーションサーバ３に送信すると共に、アプリケーションサーバ３から送信された制御指示情報により制御信号を生成して第２ＵＳＢ信号イーサーネット（登録商標）アダプターユニット２４に送信する。第２ＵＳＢ信号イーサーネット（登録商標）アダプターユニット２４はメイン処理ユニット２１から送信されたＵＳＢバス信号をイーサーネット（登録商標）信号に変換して第２ＰＬＣ変復調ユニット２３に送信したり、第２ＰＬＣ変復調ユニット２３から送信されたイーサーネット（登録商標）信号をＵＳＢバス信号に変換してメイン処理ユニット２１に送信したりする。第２ＰＬＣ変復調ユニット２３は、ＵＳＢバス信号に含まれた制御信号を変調し、変調信号を電力搬送波に載せて電力線を介して撮影装置１に送信すると共に、撮影装置１から電力線を介して送信されたオーディオ／ビデオ情報の変調信号を復調し、復調されたオーディオ／ビデオ情報をイーサーネット（登録商標）信号に変換して第２ＵＳＢ信号イーサーネット（登録商標）アダプターユニット２４に送信する。具体的に言えば、第２ＰＬＣ変復調ユニット２３は、撮影装置１におけるＵＳＢバスＰＬＣ撮影アダプターモジュール１２０または、その中の第１ＰＬＣ変復調ユニット１２４と情報交換を行う。
【００３２】
図１０は、本発明にかかる撮影システムの第４の実施形態の構成を示すブロック図である。当該撮影システムにおけるアプリケーションサーバ３は、相互に接続された情報データベース３１と情報処理モジュール３２から構成される。その中で、情報処理モジュール３２は、メイン処理ユニット２１に接続され、制御装置２から送信されたオーディオ／ビデオ情報を情報データベース３１に保存したり、また、予め設定された撮影装置の各種情報、例えば、撮影装置のアドレス情報・標識情報・各撮影装置を制御する権限情報（即ち、ある撮影装置に対して制御権限を持つ移動端末の情報である。制御権限情報に、撮影装置１に対して制御権限を持つ移動端末の番号情報が保存される）を保存したり、情報データベース３１に保存されたオーディオ／ビデオ情報を即時にリリースしたり、移動端末から送信されたリクエスト情報により制御指示情報を生成して制御装置２におけるメイン処理ユニット２１に送信したりする。本実施形態では、図３に示した撮影装置１と図８に示した制御装置２を採用している。
【００３３】
撮影されたオーディオ／ビデオ情報が情報データベース３１に保存された後、使用者は移動端末によりアプリケーションサーバに登録して、特定の歴史条件を満足し、且つ特定の撮影装置で撮影されたオーディオ／ビデオ情報を選択できるようになり、利便性が向上した。
【００３４】
また、図１０に示した撮影装置１と制御装置２を図６に示す撮影装置１と図９に示す制御装置２に置き換えて、第５の実施形態における撮影システムを構築できる。構成ブロック図は図１１を参照する。
【００３５】
情報処理モジュール３２が撮影装置１で撮影されたオーディオ／ビデオ情報をリリースした後、使用者は移動端末をインターネットに接続して、或いはテレビ電話をかける方法でアプリケーションサーバ３に登録し、撮影されたオーディオ／ビデオ情報を確認ができる。また、必要に応じて、撮影装置１の撮影パラメータを調整・制御できる。
【００３６】
上述図７ないし図１１に示した実施例の何れかの撮影システムは、ＩＭＳ（ＩＰ  Ｍｕｌｔｉｍｅｄｉａ  Ｓｕｂｓｙｓｔｅｍ，ＩＰマルチメディアサブシステム）に基づくリアルタイム通信システムとしてもよい。制御装置２とアプリケーションサーバ３の間はＩＰネットワークにより通信する。撮影システムに設けられた各装置の間は、ＳＩＰ（Ｓｅｓｓｉｏｎ  Ｉｎｉｔｉａｔｉｏｎ  Ｐｒｏｔｏｃｏｌ，セッション確立プロトコル）によるリアルタイム通信方式を採用して情報交換を行う。当該リアルタイム通信システムにおいて、当該撮影装置１の制御権限を持つ移動端末をアプリケーションサーバ３に登録すると、撮影装置１を標識するアイコンが移動端末のスクリーンに表示される。簡単に理解されるため、通常は撮影カメラのイメージに表示される。
【００３７】
本発明にかかる撮影システムは、装置間の相互通信にＳＩＰによるリアルタイム通信方式を採用するため、時間効率と相互接続性に優れ、商用環境に適用する時、通信事業者に管理の容易性と低コスト化を提供でき、また、携帯端末のスクリーンに、撮影装置１は１つのアイコンで表示されることで、使用者側の管理と制御を簡単化した。
【００３８】
使用者は移動端末によりスクリーンに表示された撮影装置１のアイコンをトリガー（起動）すると、移動端末は、アプリケーションサーバ３の情報処理モジュール３２に対して、撮影装置１の標識情報を含む撮影装置１の撮影パラメータを取得するリクエスト情報を送信するようになる。情報処理モジュール３２は当該標識情報により、情報データベース３１から撮影装置１の撮影パラメータを取得すると共に、各撮影パラメータを変更するためのリンクアドレスを作成する。移動端末の使用者は、当該リンクアドレスにより、撮影装置１の撮影パラメータを変更して撮影装置１への遠隔制御を実現できる。
【００３９】
図１２は本発明にかかる撮影制御方法の基本フローチャートである。図１２に示したように、この撮影制御方法は、移動端末がアプリケーションサーバ３に対して、撮影装置１の標識情報（例えば、ＸＸＸ）を含めた、撮影装置１の撮影パラメータを調整するリクエスト情報（例えば、焦点距離を５ｍにする）を送信する手順１と、アプリケーションサーバ３がリクエスト情報により制御指示情報を生成し、制御指示情報を標識情報と共に制御装置２に送信する手順２と、制御装置２はが御指示情報により制御信号を生成して変調すると共に、標識情報により撮影装置１を見つけ、変調された制御信号の変調信号を電力線を介して前記標識情報に標識された撮影装置１に送信し、当該制御信号により撮影装置１の撮影パラメータを調整する手順３とを有する。
【００４０】
上記撮影制御方法により、移動端末を利用して撮影装置を遠隔制御できるようになるため、使用者の利便性が向上した。
【００４１】
上記実施形態において、移動端末がリンクアドレスにより、撮影パラメータを調整するリクエスト情報をアプリケーションサーバ３の情報処理モジュール３２に送信する手順１の時、ＳＩＰによる即時メッセージ方式を採用できる。情報処理モジュール３２はリクエスト情報により制御指示情報を生成し、当該制御指示情報と標識情報と共に制御装置２に送信する手順２の時、情報処理モジュール３２は、ＳＩＰ方式を採用し、制御指示情報及び標識情報を制御装置２におけるメイン処理ユニット２１に送信する。
【００４２】
また、手順１と手順２の間に、移動端末の番号情報により、当該移動端末が撮影装置１に対して制御権限を持っているかどうかを判断するプロセスも設けられている。当該移動端末が撮影装置１に対し、制御権限を持つ場合は、手順２を実行する。持たない場合は、フローを終了する。前記判断プロセスは、情報処理モジュール３２は、撮影装置１の撮影パラメータを調整するリクエスト情報を受信後に、撮影装置１の標識情報により、情報データベース３１から撮影装置１の制御権限情報に、当該移動端末の番号情報が含まれているかどうかを確認する。含まれている場合、当該番号情報に対応する移動端末は撮影装置１に対して制御権限を持っていると判断し、手順２を実行する。含まれていない場合は、当該番号情報に対応する移動端末は撮影装置１に対して制御権限を持っていないと判断し、フローを終了する、という判断プロセスである。
【００４３】
移動端末の制御権限を確認するプロセスにより、制御権限を持たない移動端末は撮影装置を制御できないため、撮影装置の不正操作による被害を回避でき、撮影システムの安全性を向上できる。撮影装置１に対する制御は、ＳＩＰという即時通信方式を採用するため、操作の容易性と高時間効率性が図られ、通信事業者と一般使用者に高い利便性を提供できる。
【００４４】
図１３は本発明にかかる撮影制御方法の第１の実施形態のフローチャートである。この実施形態における撮影制御方法は、図１０に示した撮影システムにより、撮影装置の撮影パラメータを調整でき、３つの手順に分けられる。手順１と手順２は、図１２に示した手順１と手順２と同じであるため、説明は省略する。手順３は、また、メイン処理ユニット２１が制御指示情報により制御信号を生成し、イーサーネット（登録商標）信号処理ユニット２２に送信する手順３１１と、イーサーネット（登録商標）信号処理ユニット２２が制御信号をイーサーネット（登録商標）信号に変換して第２ＰＬＣ変復調ユニット２３に送信する手順３１２と、第２ＰＬＣ変復調ユニット２３がイーサーネット（登録商標）信号に含まれた制御信号を変調して電力搬送波に載せ、電力線を介して撮影装置１に送信し、標識情報に標識された撮影装置１の撮影パラメータを調整する手順３１３とを含む。
【００４５】
標識情報に標識された撮影装置１の撮影パラメータを調整する手順３１３は、更に、第２ＰＬＣ変復調ユニット２３が制御信号の変調信号を標識情報に標識された撮影装置１における第１ＰＬＣ変復調ユニット１２４に送信する手順３１３１と、第１ＰＬＣ変復調ユニット１２４が受信された変調信号を復調し制御信号を取得し、前記制御信号をイーサーネット（登録商標）信号に変換してからイーサーネット（登録商標）アダプターユニット１２３に送信する手順３１３２と、イーサーネット（登録商標）アダプターユニット１２３がイーサーネット（登録商標）信号から制御信号を取得し、前記制御信号を利用して、撮影モジュール１１の撮影パラメータを調整する手順３１３３と、を含む。
【００４６】
図１４は本発明にかかる撮影制御方法の第２の実施例のフローチャートである。この実施例における撮影制御方法は、図１１に示した撮影システムにより、撮影装置の撮影パラメータを調整でき、３つの手順に分けられる。手順１と手順２は、図１２に示した手順１と手順２と同じであるため、説明は省略する。手順３は又、メイン処理ユニット２１が制御指示情報により制御信号を生成し、ＵＳＢバス信号に載せて第２ＵＳＢ信号イーサーネット（登録商標）アダプターユニット２４に送信する手順３２１と、第２ＵＳＢ信号イーサーネット（登録商標）アダプターユニット２４がＵＳＢバス信号をイーサーネット（登録商標）信号に変換して第２  ＰＬＣ変復調ユニット２３に送信する手順３２２と、第２ＰＬＣ変復調ユニット２３がイーサーネット（登録商標）信号に含まれた制御信号を変調して電力搬送波に載せ、電力線を介して撮影装置１に送信し、標識情報に標識された撮影装置１の撮影パラメータを調整する手順３２３と、を含む。
【００４７】
標識情報に標識された撮影装置１の撮影パラメータを調整する手順３２３の操作は、更に第２ＰＬＣ変復調ユニット２３が、制御信号の変調信号を標識情報に標識された撮影装置１の第１ＰＬＣ変復調ユニット１２４に送信し、第１ＰＬＣ変復調ユニット１２４が受信された変調信号を復調し制御信号を取得して、制御信号をイーサーネット（登録商標）信号に変換してから第１ＵＳＢ信号イーサーネット（登録商標）アダプターユニット１２０２に送信する手順３２３１と、第１ＵＳＢ信号イーサーネット（登録商標）アダプターユニット１２０２がイーサーネット（登録商標）信号をＵＳＢバス信号に変換してＵＳＢバスアダプターユニット１２０１に送信する手順３２３２と、ＵＳＢバスアダプターユニット１２０１がＵＳＢバス信号から制御信号を取得し、前記制御信号を利用し、ＵＳＢ撮影モジュール１１０の撮影パラメータを調整する手順３２３３と、を含む。
【００４８】
また、上記撮影システムを利用し、アプリケーションサーバ３からオーディオ／ビデオ情報を取得することもできる。オーディオ／ビデオ情報を取得する具体的なプロセスは、次の通りである。
【００４９】
移動端末は、リンクアドレスにより、情報処理モジュール３２に対して、撮影装置１が撮影したオーディオ／ビデオ情報を取得するリクエスト情報を送信する。情報処理モジュール３２は、撮影装置１の標識情報ＸＸＸにより、情報データベース３１の中で、ＸＸＸに標識された撮影装置１の制御権限情報に、当該移動端末に対応する番号情報を検索する。見つけた場合、当該移動端末は撮影装置１に対して制御権限を持っていて、撮影装置１のオーディオ／ビデオ情報を取得する権限を持っていると判断する。そして、情報データベース３１から撮影装置１の標識情報に対応したオーディオ／ビデオ情報を取得して移動端末に送信する。見つからない場合は、当該移動端末は撮影装置１に対して制御権限を持っていないと判断し、プロセスを終了する。また、移動端末が情報処理モジュール３２に対して、撮影装置１が撮影したオーディオ／ビデオ情報を取得するリクエスト情報を送信する時に、日付情報等の検索条件も付加できる。その場合、情報処理モジュール３２は情報データベース３１から、特定条件に満足したオーディオ／ビデオ情報を検索し、権限認証に成功した移動端末に送信する。具体的に、移動端末はＳＩＰ方式を採用してオーディオ／ビデオ情報の取得リクエスト情報を送信でき、それに対して、情報処理モジュール３２も同じくＳＩＰ方式を採用してオーディオ／ビデオ情報を移動端末に送信できる。
【００５０】
移動端末を利用して、アプリケーションサーバから、特定な撮影装置で撮影され特定条件を満足したオーディオ／ビデオ情報を取得する本発明撮影制御方法の第２の実施形態の方法は使用者の利便性を向上できる。
【００５１】
最後に注意するべきことは、上記実施形態は本発明の技術的な解決手段の説明だけであり、技術上の制限とはならない。本明細書では上述した実施例を参照し本発明を詳しく解説したが、当業者により、上述した技術的な解決手段を改造し、またはその中の一部の技術要素を置換することもできる。そのような改造と置換は本発明の各実施例の技術の範囲から逸脱するとは見なされない。
【図面の簡単な説明】
【００５２】
【図１】本発明にかかる撮影装置の第１実施形態の構成を示すブロック図である。
【図２】本発明にかかる撮影装置の第２実施形態の構成を示すブロック図である。
【図３】本発明にかかる撮影装置の第３実施形態の構成を示すブロック図である。
【図４】本発明にかかる撮影装置の第４実施形態の構成を示すブロック図である。
【図５】本発明にかかる撮影装置の第５実施形態の構成を示すブロック図である。
【図６】本発明にかかる撮影装置の第６実施形態の構成を示すブロック図である。
【図７】本発明にかかる撮影システムの第１実施形態の構成を示すブロック図である。
【図８】本発明にかかる撮影システムの第２実施形態の構成を示すブロック図である。
【図９】本発明にかかる撮影システムの第３実施形態の構成を示すブロック図である。
【図１０】本発明にかかる撮影システムの第４実施形態の構成を示すブロック図である。
【図１１】本発明にかかる撮影システムの第５実施形態の構成を示すブロック図である。
【図１２】本発明にかかる撮影制御方法の手順を示す基本フローチャートである。
【図１３】本発明にかかる撮影制御方法の第１実施例の処理手順を示すフローチャートである。
【図１４】本発明にかかる撮影制御方法の第２実施形態の処理手順を示すフローチャートである。
【図１】
2009539280.tif 000003
【図２】
2009539280.tif 000004
【図３】
2009539280.tif 000005
【図４】
2009539280.tif 000006
【図５】
2009539280.tif 000007
【図６】
2009539280.tif 000008
【図７】
2009539280.tif 000009
【図８】
2009539280.tif 000010
【図９】
2009539280.tif 000011
【図１０】
2009539280.tif 000012
【図１１】
2009539280.tif 000013
【図１２】
2009539280.tif 000014
【図１３】
2009539280.tif 000015
【図１４】
2009539280.tif 000016
【手続補正書】
【提出日】平成20年11月27日(2008.11.27)
【手続補正１】
【補正対象書類名】特許請求の範囲
【補正対象項目名】全文
【補正方法】変更
【補正の内容】
【特許請求の範囲】
【請求項１】
撮影モジュールと、
前記撮影モジュールに接続され、前記撮影モジュールで撮影されたオーディオ／ビデオ情報を受信して変調し、電力線に載せて送信したり、電力線で伝送されている制御信号の変調信号を復調し制御信号を取得して、前記制御信号を利用して前記撮影モジュールを制御したりする電力線通信撮影アダプターモジュールとを具備し、
前記電力線通信撮影アダプターモジュールは、また、オーディオ／ビデオ情報のイーサーネット（登録商標）信号を変調し、当該イーサーネット（登録商標）信号を電力搬送波に載せて伝送したり、受信された制御信号の変調信号を復調してイーサーネット（登録商標）信号に変換してから送信したりする第１電力線通信変復調ユニットを含むことを特徴とする撮影装置。
【請求項２】
前記電力線通信撮影アダプターモジュールは、
前記撮影モジュールに接続され、オーディオ／ビデオ情報をデジタルマルチメディア信号に変換する撮影信号処理ユニットと、
前記撮影信号処理ユニットに接続され、デジタルマルチメディア信号を圧縮するデジタルマルチメディア信号圧縮処理ユニットと、
前記デジタルマルチメディア信号圧縮処理ユニットと前記撮影モジュールに接続され、圧縮で形成されたデジタルマルチメディア圧縮信号をイーサーネット（登録商標）信号に変換して前記第１電力線通信変復調ユニットに送信したり、受信された制御信号を撮影モジュールに送信したりするイーサーネット（登録商標）アダプターユニットと、
前記イーサーネット（登録商標）アダプターユニットに接続され、前記イーサーネット（登録商標）アダプターユニットから送信されたイーサーネット（登録商標）信号を変調したり、変換されたイーサーネット（登録商標）信号を前記イーサーネット（登録商標）アダプターユニットに送信したりする前記第１電力線通信変復調ユニットと、
を含むことを特徴とする請求項１記載の撮影装置。
【請求項３】
前記撮影信号処理ユニットと前記イーサーネット（登録商標）アダプターユニットに、更に１つの録音モジュールが接続されることを特徴とする請求項２記載の撮影装置。
【請求項４】
前記撮影モジュールと前記電力線通信撮影アダプターモジュールとも、ＵＳＢインターフェースが搭載されたものであることを特徴とする請求項１記載の撮影装置。
【請求項５】
前記ＵＳＢインターフェース搭載の電力線通信撮影アダプターモジュールは、更に、
前記ＵＳＢインターフェース搭載の撮影モジュールに接続され、オーディオ／ビデオ情報及び制御信号を含むＵＳＢバス信号とＵＳＢ電源を複合／分離するＵＳＢバスアダプターユニットと、
前記ＵＳＢバスアダプターユニットに接続され、ＵＳＢバス信号とイーサーネット（登録商標）信号を相互交換したり、変換されたイーサーネット信号（登録商標）を第１電力線通信変復調ユニットに送信する第１ＵＳＢ信号イーサーネット（登録商標）アダプターユニットと、
前記ＵＳＢバスアダプターユニットに接続され、ＵＳＢ電源と交流電源を相互変換するＵＳＢ電源アダプターユニットと、
前記第１ＵＳＢ信号イーサーネット（登録商標）アダプターユニットと前記ＵＳＢ電源アダプターユニットに接続され、前記第１ＵＳＢ信号イーサーネット（登録商標）アダプターユニットから送信されたイーサーネット（登録商標）信号を変調したり、変換されたイーサーネット（登録商標）信号を前記第１ＵＳＢ信号イーサーネット（登録商標）アダプターユニットに送信する第１電力線通信変復調ユニットと、
を含むことを特徴とする請求項４記載の撮影装置。
【請求項６】
オーディオ／ビデオ情報を撮影する撮影モジュールと、前記撮影モジュールで撮影されたオーディオ／ビデオ情報を受信して変調して、電力線に載せて送信したり、電力線で伝送されている制御信号の変調信号を復調し制御信号を取得して、前記制御信号を利用して前記撮影モジュールを制御したりする電力線通信撮影アダプターモジュールとを含む撮影装置と、
電力線を介して前記電力線通信撮影アダプターモジュールに接続され、受信されたオーディオ／ビデオ情報の変調信号を復調し、復調されたオーディオ／ビデオ情報を送信すると共に、受信された制御指示情報により制御信号を生成し変調して、また、電力線を介して前記制御信号の変調信号を前記電力線通信撮影アダプターモジュールに送信し、前記撮影モジュールを制御する制御装置と、
前記制御装置に接続され、前記オーディオ／ビデオ情報と前記撮影装置の情報及び撮影装置の制御権限情報を保存・提供したり、前記制御装置に制御指示情報を送信したりするアプリケーションサーバと、
を備えたことを特徴とする撮影システム。
【請求項７】
前記電力線通信撮影アダプターモジュールは、
前記撮影モジュールに接続され、オーディオ／ビデオ情報をデジタルマルチメディア信号に変換する撮影信号処理ユニットと、
前記撮影信号処理ユニットに接続され、デジタルマルチメディア信号を圧縮するデジタルマルチメディア信号圧縮処理ユニットと、
前記デジタルマルチメディア信号圧縮処理ユニットと前記撮影モジュールに接続され、圧縮で形成されたデジタルマルチメディア圧縮信号をイーサーネット（登録商標）信号に変換して送信したり、受信された制御信号を撮影モジュールに送信したりするイーサーネット（登録商標）アダプターユニットと、
前記イーサーネット（登録商標）アダプターユニットに接続され、前記イーサーネット（登録商標）アダプターユニットから送信されたイーサーネット（登録商標）信号を変調して電力搬送波に載せて伝送したり、受信された制御信号の変調信号を復調してイーサーネット（登録商標）信号に変換してから前記イーサーネット（登録商標）アダプターユニットに送信したりする第１電力線通信変復調ユニットと、
を含むことを特徴とする請求項６記載の撮影システム。
【請求項８】
前記制御装置は更に、
前記アプリケーションサーバに接続され、オーディオ／ビデオ情報を送受信したり、アプリケーションサーバから送信された制御指示情報により制御信号を生成して送信したりするメイン処理ユニットと、
前記メイン処理ユニットに接続され、受信されたイーサーネット（登録商標）信号をデジタルオーディオ／ビデオ情報に変換して前記メイン処理ユニットに送信したり、前記メイン処理ユニットから送信された制御信号をイーサーネット（登録商標）信号に変換して送信したりするイーサーネット（登録商標）信号処理ユニットと、
前記イーサーネット（登録商標）信号処理ユニットに接続され、イーサーネット（登録商標）信号に含まれた制御信号を変調して電力搬送波に載せて伝送したり、受信されたオーディオ／ビデオ情報の変調信号を復調し、復調されたオーディオ／ビデオ情報をイーサーネット（登録商標）信号に変換し、前記イーサーネット（登録商標）信号処理ユニットに送信する第２電力線通信変復調ユニットと、
を含むことを特徴とする請求項７記載の撮影システム。
【請求項９】
前記撮影モジュールと前記電力線通信撮影アダプターモジュールは、ＵＳＢインターフェースが搭載されたものであることを特徴とする請求項６記載の撮影システム。
【請求項１０】
前記ＵＳＢ搭載の電力線通信撮影アダプターモジュールは更に、
前記ＵＳＢインターフェース搭載の撮影モジュールに接続され、オーディオ／ビデオ情報及び制御信号を含む前記ＵＳＢバス信号とＵＳＢ電源を複合／分離するＵＳＢバスアダプターユニットと、
前記ＵＳＢバスアダプターユニットに接続され、ＵＳＢバス信号とイーサーネット（登録商標）信号を相互交換して、又変換されたイーサーネット（登録商標）信号を送信する第１ＵＳＢ信号イーサーネット（登録商標）アダプターユニットと、
前記ＵＳＢバスアダプターユニットに接続され、ＵＳＢ電源と交流電源を相互変換するＵＳＢ電源アダプターユニットと、
前記第１ＵＳＢ信号イーサーネット（登録商標）アダプターユニットと前記ＵＳＢ電源アダプターユニットに接続され、前記第１ＵＳＢ信号イーサーネット（登録商標）アダプターユニットから送信されたイーサーネット（登録商標）信号を変調し、電力搬送波に載せて伝送したり、受信された制御信号の変調信号を復調し、イーサーネット（登録商標）信号に変換してから前記第１ＵＳＢ信号イーサーネット（登録商標）アダプターユニットに送信したりする第１電力線通信変復調ユニットと、
を含むことを特徴とする請求項９記載の撮影システム。
【請求項１１】
前記制御装置は、
前記アプリケーションサーバに接続され、オーディオ／ビデオ情報を送受信したり、アプリケーションサーバから送信された制御指示情報により制御信号を生成して送信したりするメイン処理ユニットと、
前記メイン処理ユニットに接続され、ＵＳＢバス信号とイーサーネット（登録商標）信号を相互交換する第２ＵＳＢ信号イーサーネット（登録商標）アダプターユニットと、
前記第２ＵＳＢ信号イーサーネット（登録商標）アダプターユニットに接続され、イーサーネット（登録商標）信号に含まれた制御信号を変調して電力搬送波に載せて伝送したり、受信されたオーディオ／ビデオ情報の変調信号を復調し、復調されたオーディオ／ビデオ情報をイーサーネット（登録商標）信号に変換し、前記第２ＵＳＢ信号イーサーネット（登録商標）アダプターユニットに送信したりする第２電力線通信変復調ユニットと、
を含むことを特徴とする請求項１０記載の撮影システム。
【請求項１２】
前記アプリケーションサーバは、
前記撮影装置で撮影されたオーディオ／ビデオ情報と、前記撮影装置の情報及び当該撮影装置に対する制御権限の情報を保存する情報データベースと、
前記情報データベースと前記メイン処理ユニットに接続され、制御装置から送信されたオーディオ／ビデオ情報を前記情報データベースに保存したり、前記オーディオ／ビデオ情報をリリースして、受信されたリクエスト情報により、制御指示情報を生成して制御装置に送信したりする情報処理モジュールと、
を含むことを特徴とする請求項６記載の撮影システム。
【請求項１３】
移動端末が、撮影装置の標識情報を前記撮影装置の撮影パラメータを調整するリクエスト情報に含めて、アプリケーションサーバに送信する手順１と、
アプリケーションサーバが、前記リクエスト情報により制御指示情報を生成し、当該制御指示情報及び前記標識情報を制御装置に送信する手順２と、
制御装置が、制御指示情報により制御信号を生成して変調し、変調された制御信号の変調信号を電力線を介して前記標識情報に標識された前記撮影装置に送信し、当該撮影装置の撮影パラメータを調整する手順３と、
を有することを特徴とする撮影制御方法。
【請求項１４】
請求項１３記載の撮影制御方法において、前記手順１の前に、更に、
アプリケーションサーバが、前記移動端末から送信された、前記撮影パラメータを取得するためのリクエスト情報を受信後に、前記撮影パラメータと前記撮影パラメータを変更するリンクアドレスを前記移動端末に送信し、
前記移動端末は前記リンクアドレスにより、撮影装置の撮影パラメータを調整する前記リクエスト情報をアプリケーションサーバに送信する、
という操作が実行されることを特徴とする請求項１３記載の撮影制御方法。
【請求項１５】
前記移動端末がセッション確立プロトコルを利用してアプリケーションサーバにおける情報処理モジュールに、撮影装置の撮影パラメータを調整するリクエスト情報を送信する前記手順１を有することを特徴とする請求項１３記載の撮影制御方法。
【請求項１６】
前記手順３は更に、
メイン処理ユニットが、前記制御指示情報により制御信号を生成し、イーサーネット（登録商標）信号処理ユニットに送信する手順３１１と、
イーサーネット（登録商標）信号処理ユニットが、前記制御信号をイーサーネット（登録商標）信号に変換して第２電力線通信変復調ユニットに送信する手順３１２と、
第２電力線通信変復調ユニットはイーサーネット（登録商標）信号に含まれた制御信号を変調して電力搬送波に載せたり、生成された制御信号の変調信号を利用して前記撮影装置の撮影パラメータを調整したりする手順３１３と、
を有することを特徴とする請求項１３記載の撮影制御方法。
【請求項１７】
前記手順３は更に、
メイン処理ユニットが前記制御指示情報により制御信号を生成し、ＵＳＢバス信号に載せて第２ＵＳＢ信号イーサーネット（登録商標）アダプターユニットに送信する手順３２１と、
第２ＵＳＢ信号イーサーネット（登録商標）アダプターユニットがＵＳＢバス信号をイーサーネット（登録商標）信号に変換して第２電力線通信変復調ユニットに送信する手順３２２と、
第２電力線通信変復調ユニットがイーサーネット（登録商標）信号に含まれた制御信号を変調して電力搬送波に載せて、生成された制御信号の変調信号を利用して、前記撮影装置の撮影パラメータを調整する手順３２３と、
を有することを特徴とする請求項１３記載の撮影制御方法。
【請求項１８】
前記リクエスト情報に前記移動端末の番号情報が含まれた場合、前記手順１と前記手順２の間に、更に、前記移動端末の番号により、当該移動端末が前記撮影装置に対して制御権限を持っているかどうかを判断し、持つ場合は、手順２を実行し、持たない場合は操作を終了する、という手順１１が実行されることを特徴とする請求項１３記載の撮影制御方法。
【手続補正２】
【補正対象書類名】明細書
【補正対象項目名】０００７
【補正方法】変更
【補正の内容】
【０００７】
本発明にかかる撮影装置は、オーディオ／ビデオ情報を撮影する撮影モジュールと、撮影モジュールに接続され、撮影モジュールで撮影されたオーディオ／ビデオ情報を受信し変調して、電力線に載せて送信したり、電力線を介して伝送されている制御信号の変調信号を復調し、取得された制御信号を利用して前記撮影モジュールを制御したりする電力線通信（Ｐｏｗｅｒ  Ｌｉｎｅ  Ｃｏｍｍｕｎｉｃａｔｉｏｎ，ＰＬＣ）撮影アダプターモジュールとを具備し、前記電力線通信撮影アダプターモジュールは、また、オーディオ／ビデオ情報のイーサーネット（登録商標）信号を変調し、当該イーサーネット（登録商標）信号を電力搬送波に載せて伝送したり、受信された制御信号の変調信号を復調してイーサーネット（登録商標）信号に変換してから送信したりする第１電力線通信変復調ユニットを含む。
【手続補正３】
【補正対象書類名】明細書
【補正対象項目名】０００８
【補正方法】変更
【補正の内容】
【０００８】
前記電力線通信撮影アダプターモジュールは、前記撮影モジュールに接続され、オーディオ／ビデオ情報をデジタルマルチメディア信号に変換する撮影信号処理ユニットと、前記撮影信号処理ユニットに接続され、デジタルマルチメディア信号を圧縮するデジタルマルチメディア信号圧縮処理ユニットと、前記デジタルマルチメディア信号圧縮処理ユニットと前記撮影モジュールに接続され、圧縮で形成されたデジタルマルチメディア圧縮信号をイーサーネット（登録商標）信号に変換して前記第１電力線通信変復調ユニットに送信したり、受信された制御信号を撮影モジュールに送信したりするイーサーネット（登録商標）アダプターユニットと、前記イーサーネット（登録商標）アダプターユニットに接続され、前記イーサーネット（登録商標）アダプターユニットから送信されたイーサーネット（登録商標）信号を変調したり、変換されたイーサーネット（登録商標）信号を前記イーサーネット（登録商標）アダプターユニットに送信したりする第１電力線通信変復調ユニットと、を含む。
【手続補正４】
【補正対象書類名】明細書
【補正対象項目名】００１０
【補正方法】変更
【補正の内容】
【００１０】
前記撮影システムにおける前記制御装置は、前記アプリケーションサーバに接続され、オーディオ／ビデオ情報を送受信し、アプリケーションサーバから送信された制御指示情報により制御信号を発生して送信するメイン処理ユニットと、前記メイン処理ユニットに接続され、受信されたイーサーネット（登録商標）信号をデジタルオーディオ／ビデオ情報に変換して前記メイン処理ユニットに送信したり、及び前記メイン処理ユニットから送信された制御信号をイーサーネット（登録商標）信号に変換して送信するイーサーネット（登録商標）信号処理ユニットと、前記イーサーネット（登録商標）信号処理ユニットに接続され、イーサーネット（登録商標）信号に含まれた制御信号を変調して電力搬送波に載せて送信したり、及び受信されたオーディオ／ビデオ情報の変調信号を復調し、復調されたオーディオ／ビデオ情報をイーサーネット（登録商標）信号に変換して前記イーサーネット（登録商標）信号処理ユニットに送信する第２電力線通信変復調ユニットと、を有する。
【手続補正５】
【補正対象書類名】明細書
【補正対象項目名】００１１
【補正方法】変更
【補正の内容】
【００１１】
前記撮影装置における前記撮影モジュール及び前記電力線通信撮影アダプターモジュールは、ＵＳＢインターフェースが搭載されたものである場合、前記ＵＳＢインターフェース搭載の電力線通信撮影アダプターモジュールは、前記ＵＳＢインターフェース搭載の撮影モジュールに接続され、オーディオ／ビデオ情報と制御信号を含む前記ＵＳＢバス信号とＵＳＢ電源を複合・分離するＵＳＢバスアダプターユニットと、前記ＵＳＢバスアダプターユニットに接続され、ＵＳＢバス信号とイーサーネット（登録商標）信号を相互変換して、また、変換されたイーサーネット（登録商標）信号を送信する第１ＵＳＢ信号イーサーネット（登録商標）アダプターユニットと、前記ＵＳＢバスアダプターユニットに接続され、ＵＳＢ電源と交流電源を相互変換するＵＳＢ電源アダプターユニットと、前記第１ＵＳＢ信号イーサーネット（登録商標）アダプターユニットと前記ＵＳＢ電源アダプターユニットに接続され、前記第１ＵＳＢ信号イーサーネット（登録商標）アダプターユニットから送信されたイーサーネット（登録商標）信号を変調し、電力搬送波に載せて伝送したり、及び受信された制御信号の変調信号を復調してイーサーネット（登録商標）信号に変換してから、前記第１ＵＳＢ信号イーサーネット（登録商標）アダプターユニットに送信したりする第１電力線通信変復調ユニットと、を有する。
【手続補正６】
【補正対象書類名】明細書
【補正対象項目名】００１２
【補正方法】変更
【補正の内容】
【００１２】
前記撮影装置に設けられた前記撮影モジュール及び前記電力線通信撮影アダプターモジュールはＵＳＢインターフェースが搭載されたものである場合、前記制御装置は、前記アプリケーションサーバに接続され、オーディオ／ビデオ情報を送受信し、アプリケーションサーバから送信された制御指示情報により制御信号を生成して送信するメイン処理ユニットと、前記メイン処理ユニットに接続され、ＵＳＢバス信号とイーサーネット（登録商標）信号を相互交換する第２ＵＳＢ信号イーサーネット（登録商標）アダプターユニットと、前記第２ＵＳＢ信号イーサーネット（登録商標）アダプターユニットに接続され、イーサーネット（登録商標）信号に含まれた制御信号を変調し、電力搬送波に載せて伝送したり、受信されたオーディオ／ビデオ情報の変調信号を復調し、復調されたオーディオ／ビデオ情報をイーサーネット（登録商標）信号に変換し、前記第２ＵＳＢ信号イーサーネット（登録商標）アダプターユニットに送信したりする第２  電力線通信変復調ユニットとを有する。
【手続補正７】
【補正対象書類名】明細書
【補正対象項目名】００１３
【補正方法】変更
【補正の内容】
【００１３】
前記アプリケーションサーバは、前記撮影装置で撮影されたオーディオ/ビデオ情報と、前記撮影装置の情報及び前記撮影装置の制御権限情報を保存する情報データベースと、前記情報データベースと前記制御装置に接続され、制御装置から送信されたオーディオ/ビデオ情報を前記情報データベースに保存してリリースしたり、受信されたリクエスト情報により、制御指示情報を生成して制御装置に送信したりする情報処理モジュールとを有する。
【手続補正８】
【補正対象書類名】明細書
【補正対象項目名】００２０
【補正方法】変更
【補正の内容】
【００２０】
図２は、本発明にかかる撮影装置の第２の実施形態の構成を示すブロック図である。この実施形態における撮影装置のＰＬＣ撮影アダプターモジュール１２は、順番に接続された撮影信号処理ユニット１２１と、デジタルマルチメディア信号圧縮処理ユニット１２２と、イーサーネット（登録商標）アダプターユニット１２３と、第１ＰＬＣ変復調ユニット１２４から構成される。撮影信号処理ユニット１２１は、撮影モジュール１１と接続され、撮影モジュール１１で撮影されたオーディオ／ビデオ情報をデジタルマルチメディア信号に変換し、デジタルマルチメディア信号圧縮処理ユニット１２２に送信する。デジタルマルチメディア信号圧縮処理ユニット１２２は、デジタルマルチメディア信号を圧縮してからイーサーネット（登録商標）アダプターユニット１２３に送信する。イーサーネット（登録商標）アダプターユニット１２３は、また、撮影モジュール１１にも接続されていて、圧縮されて形成されたデジタルマルチメディア圧縮信号をイーサーネット（登録商標）信号に変換して第１ＰＬＣ変復調ユニット１２４に送信したり、第１ＰＬＣ変復調ユニット１２４から送信された制御信号を撮影モジュール１１に送信し、撮影モジュール１１の撮影パラメータを調整したりする。第１ＰＬＣ変復調ユニット１２４は、受信されたイーサーネット（登録商標）信号を変調して電力搬送波に載せ、電力線を介して当該撮影装置を制御する制御装置に送信したり、制御装置から電力線を介して送信された制御信号の変調信号を復調し、取得された制御信号をイーサーネット（登録商標）信号に変換してイーサーネット（登録商標）アダプターユニット１２３に送信したりする。
【国際調査報告】
2009539280.tif 000017
2009539280.tif 000018
2009539280.tif 000019
2009539280.tif 000020
2009539280.tif 000021
2009539280.tif 000022